(57)【要約】【課題】  所望の動作が完了した後に電源供給を自動的に停止させることが可能な磁気記録再生装置およびオートパワーオフ方法を提供する。【解決手段】  この磁気記録再生装置では、オートパワーオフモードにおいて、まず使用者がパワーオフ時間を設定する（ステップＳ２，Ｓ３）。次いで、ＣＴＬ信号に基づいて、システムコントロールボタンが押されてからの経過時間をカウントする（ステップＳ４，Ｓ５）。カウントされた経過時間が設定されたパワーオフ時間に到達したことに応じて、電源供給を自動的に停止させる（ステップＳ６，Ｓ７）。したがって、所望の動作が完了した後に電源供給が自動的に停止される。このため、使用者は所望の動作が完了するまでその場に居て電源を切る操作を行なう必要がなく、使用者の手間が省ける。【選択図】        図２
2006012207.tif 000002
【特許請求の範囲】
【請求項１】
磁気記録媒体の記録および再生を行なう磁気記録再生装置であって、
前記磁気記録再生装置の電源を供給する電源部、
前記磁気記録再生装置の動作を指示するとともに、パワーオフ時間を設定するための操作部、および
前記磁気記録媒体の時間情報に基づいて、前記磁気記録再生装置が所望の動作を開始してからの経過時間をカウントし、カウントされた経過時間が設定された前記パワーオフ時間に到達したことに応じて、前記電源部からの電源供給を自動的に停止させる制御部を備える、磁気記録再生装置。
【請求項２】
さらに、設定された前記パワーオフ時間からカウントされた経過時間を減算した時間を表示するモニタを備える、請求項１に記載の磁気記録再生装置。
【請求項３】
前記操作部は、
前記電源部からの電源供給の自動停止を指示するためのオートパワーオフボタン、
前記パワーオフ時間を設定するための数字ボタン、および
前記磁気記録媒体の記録、再生、早送り、巻戻しの動作を指示するためのシステムコントロールボタンを含み、
前記オートパワーオフボタンが押された後、前記数字ボタンによって前記パワーオフ時間が設定され、次いで前記システムコントロールボタンが押されたことに応じて前記所望の動作を開始する、請求項１または請求項２に記載の磁気記録再生装置。
【請求項４】
磁気記録再生装置の電源を自動的に遮断するオートパワーオフ方法であって、
パワーオフ時間を設定する第１のステップ、
磁気記録媒体の時間情報に基づいて、前記磁気記録再生装置が所望の動作を開始してからの経過時間をカウントする第２のステップ、
前記第２のステップにおいてカウントされた経過時間が、前記第１のステップにおいて設定された前記パワーオフ時間に到達したことに応じて、前記磁気記録再生装置の電源を遮断する第３のステップを含む、オートパワーオフ方法。
【発明の詳細な説明】
【技術分野】
【０００１】
この発明は、磁気記録再生装置およびオートパワーオフ方法に関し、特に、磁気記録媒体の記録および再生を行なう磁気記録再生装置、および磁気記録再生装置の電源を自動的に遮断するオートパワーオフ方法に関する。
【背景技術】
【０００２】
従来のＶＣＲ（Video Cassette Recorder）などの磁気記録再生装置において、テープの記録（録画）、再生、早送り、巻戻しなどの所望の動作が完了してから電源を切りたい場合、使用者は動作が完了するまでその場に居て電源を切る操作を行なう必要があった。たとえば、テープに録画した１時間番組の後の部分に次の番組を予約録画したい場合など、テープを１時間分早送りしてから電源を切って予約待機状態にしたいとき、使用者はテープの早送りが１時間分完了するまでその場に居て、早送りが１時間分完了したことを確認してから電源を切る必要があった。
【０００３】
下記の特許文献１には、常に最適なオートパワーオフ時間を設定し、電池の消耗を最小限におさえて、駆動時間を長くするディスクドライブ装置が開示されている。この場合、ＣＤ制御部がＣＤからデータを読取って、オートパワーオフ時間を設定する。外部からの入力が設定時間以上なければ、主電源オフの制御を行ない、主電池からの電源供給を停止する。
【０００４】
また、下記の特許文献２には、機器の稼動状況に適合したタイマ値を自動的に設定し、機器の寿命保障期間に影響を及ぼさずに低消費電力機能による機器の省力化を図る方法が開示されている。この場合、機器の１日の稼働時間と動作回数とを予め設定した日数の期間だけセーブする。一定期間経過後、この期間中の１日あたりの平均稼働時間と平均動作回数とを算出し、その平均稼働時間と平均動作回数とから機器の動作指令間隔を算出して、この平均動作指令間隔をタイマ値に設定する。
【特許文献１】特開平６−２３１５２７号公報
【特許文献２】特開平１０−９６７９４号公報
【発明の開示】
【発明が解決しようとする課題】
【０００５】
以上のように、従来のＶＣＲでは、テープの記録、再生、早送り、巻戻しなどの所望の動作が完了してから電源を切りたい場合、使用者は動作が完了するまでその場に居て電源を切る操作を行なう必要があった。このため、使用者に余計な手間がかかっていた。
【０００６】
それゆえに、この発明の主たる目的は、所望の動作が完了した後に電源供給を自動的に停止させることが可能な磁気記録再生装置およびオートパワーオフ方法を提供することである。
【課題を解決するための手段】
【０００７】
この発明に係わる磁気記録再生装置は、磁気記録媒体の記録および再生を行なう磁気記録再生装置であって、磁気記録再生装置の電源を供給する電源部と、磁気記録再生装置の動作を指示するとともに、パワーオフ時間を設定するための操作部と、磁気記録媒体の時間情報に基づいて、磁気記録再生装置が所望の動作を開始してからの経過時間をカウントし、カウントされた経過時間が設定されたパワーオフ時間に到達したことに応じて、電源部からの電源供給を自動的に停止させる制御部とを備えたものである。
【０００８】
好ましくは、さらに、設定された前記パワーオフ時間からカウントされた経過時間を減算した時間を表示するモニタが設けられる。
【０００９】
また、好ましくは、操作部は、電源部からの電源供給の自動停止を指示するためのオートパワーオフボタンと、パワーオフ時間を設定するための数字ボタンと、磁気記録媒体の記録、再生、早送り、巻戻しの動作を指示するためのシステムコントロールボタンとを含む。オートパワーオフボタンが押された後、数字ボタンによってパワーオフ時間が設定され、次いでシステムコントロールボタンが押されたことに応じて所望の動作を開始する。
【００１０】
この発明に係わるオートパワーオフ方法は、磁気記録再生装置の電源を自動的に遮断するオートパワーオフ方法であって、パワーオフ時間を設定する第１のステップと、磁気記録媒体の時間情報に基づいて、磁気記録再生装置が所望の動作を開始してからの経過時間をカウントする第２のステップと、第２のステップにおいてカウントされた経過時間が、第１のステップにおいて設定されたパワーオフ時間に到達したことに応じて、磁気記録再生装置の電源を遮断する第３のステップとを含む。
【発明の効果】
【００１１】
この発明に係わる磁気記録再生装置では、磁気記録再生装置の電源を供給する電源部と、磁気記録再生装置の所望の動作を指示するとともに、パワーオフ時間を設定するための操作部と、磁気記録媒体の時間情報に基づいて、磁気記録再生装置が所望の動作を開始してからの経過時間をカウントし、カウントされた経過時間が設定されたパワーオフ時間に到達したことに応じて、電源部からの電源供給を自動的に停止させる制御部とが設けられる。したがって、テープの記録、再生、早送り、巻戻しなどの所望の動作が完了してから電源を切りたい場合、使用者がパワーオフ時間を任意に設定することによって、所望の動作が完了した後に電源供給が自動的に停止される。このため、使用者は所望の動作が完了するまでその場に居て電源を切る操作を行なう必要がなく、使用者の手間が省ける。
【００１２】
好ましくは、さらに、設定された前記パワーオフ時間からカウントされた経過時間を減算した時間を表示するモニタが設けられる。この場合は、電源供給が停止されるまでの残時間がモニタに表示されるため、使用者にとって利便性がよくなる。
【００１３】
また、好ましくは、操作部は、電源部からの電源供給の自動停止を指示するためのオートパワーオフボタンと、パワーオフ時間を設定するための数字ボタンと、磁気記録媒体の記録、再生、早送り、巻戻しの動作を指示するためのシステムコントロールボタンとを含む。オートパワーオフボタンが押された後、数字ボタンによってパワーオフ時間が設定され、次いでシステムコントロールボタンが押されたことに応じて所望の動作を開始する。この場合は、オートパワーオフボタンが押されたことに応じて、オートパワーオフモードに入る。次いで、数字ボタンおよびシステムコントロールボタンによってオートパワーオフモードの動作が指示される。
【００１４】
この発明に係わるオートパワーオフ方法は、パワーオフ時間を設定する第１のステップと、磁気記録媒体の時間情報に基づいて、磁気記録再生装置が所望の動作を開始してからの経過時間をカウントする第２のステップと、第２のステップにおいてカウントされた経過時間が、第１のステップにおいて設定されたパワーオフ時間に到達したことに応じて、磁気記録再生装置の電源を遮断する第３のステップとを含む。したがって、テープの記録、再生、早送り、巻戻しなどの所望の動作が完了してから電源を切りたい場合、使用者がパワーオフ時間を任意に設定することによって、所望の動作が完了した後に電源が自動的に遮断される。このため、使用者は所望の動作が完了するまでその場に居て電源を切る操作を行なう必要がなく、使用者の手間が省ける。
【発明を実施するための最良の形態】
【００１５】
［実施の形態１］
図１は、この発明の実施の形態１による磁気記録再生装置の概略構成を示すブロック図である。図１において、この磁気記録再生装置は、ＶＣＲ１およびリモコン（操作部）２を備える。ＶＣＲ１は、受信部１１、マイコン（制御部）１２、電源部１３および駆動部１４を含む。リモコン２は、再生（ＰＬＡＹ）ボタン２１、記録（ＲＥＣ）ボタン２２、早送り（ＦＦ）ボタン２３、巻戻し（ＲＥＷ）ボタン２４などのシステムコントロールボタン、オートパワーオフ（ＯＰ）ボタン２５および数字（１〜１２）ボタン２６を含む。
【００１６】
使用者は、リモコン２のシステムコントロールボタンを操作してテープ３の記録（録画）、再生、早送り、巻戻しなどの動作を指示する。また、オートパワーオフボタン２５を操作して、磁気記録再生装置の電源供給を自動的に停止させるオートパワーオフモードの実行を指示する。また、使用者は、数字ボタン２６を操作して、視聴する番組のチャンネルを指示する他、オートパワーオフモードにおけるパワーオフ時間を設定する。リモコン２からの所望の動作を指示する制御信号は、受信部１１に与えられる。
【００１７】
受信部１１は、リモコン２からの制御信号を受けてマイコン１２に伝達する。マイコン１２は、受信部１１から与えられた制御信号に応じて、電源部１３、駆動部１４およびＶＣＲ１全体の動作を制御する。電源部１３は、ＶＣＲ１全体に電源を供給する。駆動部１４は、テープ３の記録、再生、早送り、巻戻しなどの動作を行なうとともに、ＣＴＬ（Control Track Signal）信号の読出しおよび書込みを行なう。ここで、ＣＴＬ信号は、テープ３の時間情報を示し、再生時の走行速度とビデオヘッドの回転位置との関係を、記録時におけるそれらの関係に合わせるため用いられる。ＣＴＬ信号は、記録時にテープ３のコントロールトラックに書込まれ、再生時にコントロールトラックから読出される。
【００１８】
次に、この発明のポイントとなるオートパワーオフモードの動作について説明する。図２は、オートパワーオフモードの動作を説明するためのフローチャートである。図１および図２を参照して、ステップＳ１において、リモコン２のオートパワーオフボタン２５が押された場合（ＹＥＳ）、オートパワーオフモードに入ってステップＳ２に進む。オートパワーオフボタン２５が押されないかぎりオートパワーオフモードには入らない（ＮＯ）。
【００１９】
ステップＳ２において、使用者は数字ボタン２６を操作してパワーオフ時間を入力する。次いで、ステップＳ３においてパワーオフ時間の入力が完了すると（ＹＥＳ）、ステップＳ４に進む。パワーオフ時間の入力が完了するまで、ステップＳ２およびステップＳ３の動作が繰返される（ＮＯ）。
【００２０】
ステップＳ４において、システムコントロールボタン（再生ボタン２１、記録ボタン２２、早送りボタン２３、巻戻しボタン２４など）が押された場合（ＹＥＳ）、ステップＳ５に進む。パワーオフ時間設定後にシステムコントロールボタンが押されないかぎり次のステップＳ５には進まない（ＮＯ）。
【００２１】
ステップＳ５において、マイコン１２は、ＣＴＬ信号に基づいて、システムコントロールボタンが押されてからの経過時間をカウントする。モニタ４には、テープ３からの映像・音声が出力されるとともに、電源部３からの電源供給が停止されるまでの残時間（設定されたパワーオフ時間−カウントされた経過時間）が表示される。
【００２２】
ステップＳ６において、カウントされた経過時間が設定されたパワーオフ時間に到達したことに応じて（ＹＥＳ）、ステップＳ７に進む。カウントされた経過時間が設定されたパワーオフ時間に到達するまでは、ステップＳ５およびステップＳ６の動作が繰返される（ＮＯ）。ステップＳ７において、マイコン１２は電源部１３からの電源供給を停止させる。なお、ステップＳ５における経過時間のカウント中に再度システムコントロールボタンが押された場合は、オートパワーオフモードが解除される。
【００２３】
以上のように、この実施の形態１では、テープの記録、再生、早送り、巻戻しなどの所望の動作が完了してから電源を切りたい場合、オートパワーオフモードを用いて使用者がパワーオフ時間を任意に設定することによって、所望の動作が完了した後に電源供給が自動的に停止される。このため、たとえば、テープに録画した１時間番組の後の部分に次の番組を予約録画したい場合など、テープを１時間分早送りしてから電源を切って予約待機状態にしたいとき、使用者はテープの早送りが１時間分完了するまでその場に居て電源を切る操作を行なう必要がなく、使用者の手間が省ける。さらに、電源供給が停止されるまでの残時間がモニタに表示されるため、使用者にとって利便性がよくなる。また、適切なタイミングで自動的に電源が切られるため、無駄な電力消費を避けることができる。
【００２４】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００２５】
【図１】この発明の実施の形態１による磁気記録再生装置の概略構成を示すブロック図である。
【図２】オートパワーオフモードの動作を説明するためのフローチャートである。
【符号の説明】
【００２６】
１  ＶＣＲ、２  リモコン、３  テープ、４  モニタ、１１  受信部、１２  マイコン、１３  電源部、１４  駆動部、２１  再生ボタン、２２  記録ボタン、２３  早送りボタン、２４  巻戻しボタン、２５  オートパワーオフボタン、２６  数字ボタン。
【図１】
2006012207.tif 000003
【図２】
2006012207.tif 000004